(57)【要約】【課題】レンジの上方に設け、レンジから発生する油煙を屋外に排出するレンジフードにおいて、油煙の捕集効率を高めることができ、また、近年のキッチンに対応できる薄形化を図ることを目的とする。【解決手段】薄形の逆椀状に形成されるフード１の略中央部に中空で下方に向け突出する突出部６を、フード１の周辺部２との間に油煙の吸込開口３が形成されるように設けて本体７を形成し、突出部６の側壁４には、フィルター１０を着脱自在に設ける吸込口８を設け、吸込口８と連通する排気用ファンモータ１４を設けることにより、薄形化が図れるとともに、吸込口８から吸い込まれる油煙の捕集効率を高めることのできるレンジフードが得られる。【選択図】図１
2005106426.tif 000002
【特許請求の範囲】
【請求項１】
薄型の逆椀状に形成されたフードの略中央部に、中空で下方に向け突出する突出部を形成した本体と、この本体の上部に前記突出部内と屋外とが連通されるように設けられる排気用ファンモータと、前記突出部の側壁に設けられる吸込口と、この吸込口に着脱自在に設けられるフィルターとを備え、前記フードの周辺部と突出部間に油煙の吸込開口を形成したレンジフード。
【請求項２】
突出部の側壁を下方に向かうに従がい中央寄りとなる傾斜面で形成し、吸込口を斜め下方に向け開口した請求項１記載のレンジフード。
【請求項３】
本体に設けられるフードと突出部を一体的に形成した請求項１記載のレンジフード。
【請求項４】
本体の下面の奥部側に、突出部内と連通する副吸込口を形成した請求項１記載のレンジフード。
【請求項５】
レンジ面を照らす照明部を突出部より外側位置となる本体の下面に設けた請求項１記載のレンジフード。
【発明の詳細な説明】
【技術分野】
【０００１】
本発明は、調理時にレンジ側から発生し上昇する油煙を屋外に排出するレンジフードに関する。
【背景技術】
【０００２】
従来、この種のレンジフードは、調理時に発生した油煙を本体の下面に設けた整流板により本体と整流板間に形成される吸気口に案内して屋外に排出するものが知られている（例えば、特許文献１参照）。
【０００３】
以下、そのレンジフードについて図６および図７を参照しながら説明する。
【０００４】
図に示すように、本体１０１の内部に吸込口１０２より油煙を吸い込み吐出口１０３より吐出されるように設けられるファンモータ１０４を設け、本体１０１の左右側部下方に設けられる後方に向かい下降する傾斜面１０５を形成した側板１０６を設け、本体１０１の下面に沿う形状の水平部１０７と側板１０６の傾斜面１０５に沿う形状の傾斜部１０８とを有し、本体１０１の幅より狭く、前方と側方に吸気口１０９が形成され、上面には本体１０１との間に吸気流路１１０が形成される整流板１１１を設け構成している。
【特許文献１】特開２００１−３０４６４２号公報（［００１１］、図１、図２）
【発明の開示】
【発明が解決しようとする課題】
【０００５】
このような従来のレンジフードでは、吸気流路１１０の吸気口１０２には、下方から上昇する油煙を含む空気のほとんどが整流板１１１に衝突し本体１０１の側方へ逃げることとなり、油煙の捕集効率が悪くなるという課題があり、油煙の捕集効率を高めることが要求されている。
【０００６】
また、整流板１１１の上面に、本体１０１との間に吸気流路１１０が形成されるように吸気口１０２を設け、本体１０１とは離間した位置に整流板１１１を設けているので、本体１０１と整流板１１１を含むフード部分の厚みが厚くなり、インテリア性を重要視する近年のキッチンには対応できないという課題があり、フード部分の薄形化が要求されている。
【０００７】
また、吸気流路１１０に吸気された油煙は濾過されない状態で吸気流路１１０内を通り屋外に排出されていたので、吸気流路１１０を形成する本体１０１の下面と整流板１１１の内面に多くの油滴が付着することとなって掃除が困難になるという課題があり、掃除を容易にすることが要求されている。
【０００８】
本発明は、このような従来の課題を解決するものであり、油煙の捕集効率を高めることができ、また、近年のキッチンに対応できるように薄形化を図ることができ、また、掃除性を高めることできるレンジフードを提供することを目的としている。
【課題を解決するための手段】
【０００９】
本発明のレンジフードは、上記目的を達成するために、薄形のフードの略中央部に下方に向いた中空の突出部を形成し、突出部の側壁にフィルターを設けた吸込口を形成し、フードの周辺部と突出部間に油煙の吸込開口を形成したものである。
【００１０】
この手段により、油煙の捕集効率を高めることができ、また、近年のキッチンに対応できるように薄形化を図ることができ、また、掃除性を高めることができるレンジフードが得られる。
【００１１】
また、他の手段は、突出部の側壁を下方に向かうに従がい中央寄りとなる傾斜面で形成し、吸込口を斜め下方に向け開口したものである。
【００１２】
この手段により、油煙の捕集効率を高めることのできるレンジフードが得られる。
【００１３】
また、他の手段は、本体に設けられるフードと突出部を一体的に形成したものである。
【００１４】
この手段により、掃除性の向上を図ることができるレンジフードが得られる。
【００１５】
また、他の手段は、本体の下面の奥部側に突出部内と連通する副吸込口を形成したものである。
【００１６】
この手段により、壁面をつたって漏れる油煙を防止するとともに、油煙の捕集効率を高めることができるレンジフードが得られる。
【００１７】
また、他の手段は、レンジ面を照らす照明部を突出部より外側位置となる本体の下面に設けたものである。
【００１８】
この手段により、照明部の汚れが防止され、掃除が容易となるレンジフードが得られる。
【発明の効果】
【００１９】
本発明によれば、油煙の捕集効率および掃除性を高めることができるとともに、近年のキッチンに対応できるように薄形化を図ることができるという効果を有するレンジフードを提供することができる。
【００２０】
また、吸い込み気流の指向性による吸引性の向上により、油煙の捕集性を向上することができる。
【００２１】
また、掃除性の向上およびデザイン性の向上を図ることができる。
【００２２】
また、油煙の漏れが防止され捕集性を向上することができる。
【００２３】
また、照明部の汚れを防止して掃除を容易にすることができる。
【発明を実施するための最良の形態】
【００２４】
本発明の請求項１記載の発明は、薄形の逆椀状に形成されたフードの略中央部に、中空で下方に向け突出する突出部を形成した本体と、この本体の上部に前記突出部内と屋外とが連通されるように設けられる排気用ファンモータと、前記突出部の側壁に設けられる吸込口と、この吸込口に着脱自在に設けられるフィルターとを備え、前記フードの周辺部と突出部間に油煙の吸込開口を形成したものであり、レンジから上昇する油煙はフードの周辺部と突出部間に形成され油煙の吸込開口に誘導され、フィルターを介して浄化された空気が吸込口より突出部内に吸い込まれ屋外に排気されることとなり、油煙の捕集効率が高められるとともに、油煙はフィルターにより浄化されることにより油煙がフィルターに至るまでの本体の汚れる面積が小さく、掃除性が向上し、本体は薄形となり近年のキッチンに対応できる薄形化を図れるという作用を有する。
【００２５】
また、請求項２記載の発明は、突出部の側壁を下方に向かうに従がい中央寄りとなる傾斜面で形成し、吸込口を斜め下方に向け開口したものであり、斜め下方に向いた吸込口によって、吸い込み気流の指向性による吸引力が向上するとともに、吸い込み風速が向上して油煙の捕集性が向上するという作用を有する。
【００２６】
また、請求項３記載の発明は、本体に設けられるフードと突出部を一体的に形成したものであり、フードと突出部間に継ぎ目が無いので、油煙が継ぎ目にこびり付くことが無くなるとともに、フードと突出部の一体化構造によってフードおよび突出部に付着した油煙を拭き取る作業が容易となるとともに、デザイン性も向上するという作用を有する。
【００２７】
また、請求項４記載の発明は、本体の下面の奥部側に突出部内と連通する副吸込口を形成したものであり、突出部に当った油煙が奥部側の壁面に付着するように流れる前に、油煙を副吸込口で吸込み、壁面をつたい油煙が漏れることを防止することができるという作用を有する。
【００２８】
また、請求項５記載の発明は、レンジ面を照らす照明部を突出部より外側位置となる本体の下面に設けたものであり、油煙の吸い込み部と照明部の位置を区分けすることができ、照明部が油煙の気流経路より離れて設けられることとなり、照明部の汚れを防止することができるという作用を有する。
【００２９】
以下、本発明の実施の形態について図面を参照しながら説明する。
【００３０】
（実施の形態１）
図１〜図５に示すように、薄形の逆椀状に形成されたフード１の略中央部にフード１の周辺部２との間の前部と側部に油煙の吸込開口３を設け、中空で下方に向け略フード１の下面にまで突出する形状で、側壁４を下方に向かうに従がい中央寄りとなる傾斜面５で突出部６を形成し、フード１と突出部６を一体的に設けて本体７を形成し、突出部６の側壁４に吸込口８を設け、斜め下方に向け開口する吸込口８には、下縁に爪９を設け、多孔板により形成されるフィルター１０には吸込口８に設けた爪９が係合してフィルター１０を保持する係合部１１を設けてフィルター１０を着脱自在に設け、突出部６の下面には突出部６の内面側より滴下する油滴の油滴排出口１２を設け、油滴排出口１２より排出される油滴を受ける油受け１３を突出部６の下面に着脱自在に設ける。
【００３１】
また、本体７は、本体７を覆う形状で運転スイッチ１４および、照明用電球１５を設けた本体カバー１６内に着脱自在に取り付けられ、本体７の上部には排気用ファンモータ１７を内蔵したファンボックス１８を設け、排気用ファンモータ１７の上流側は、上流側空気流路１９を介して中空の突出部６内と連通させ、下流側はシャッター２０を介して下流側空気流路２１を形成し、屋外２２と連通させる。
【００３２】
そして、本体７の下面の奥部側に突出部６内と連通する副吸込口２３を設け、レンジ２４面を照らす照明部２５を突出部６より外側位置となる本体７の下面の左右に設けてレンジフードを形成し、壁面２６に設けられる吊り戸棚２７等の間に配設し、ファンボックス１８の前方には幕板２８を設け構成する。
【００３３】
上記構成においてレンジ２４の使用時に運転スイッチ１４を操作すると、照明部２５が点灯するとともに排気用ファンモータ１７が運転され、排気用ファンモータ１７により、フード１の周辺部２と突出部６により形成されている油煙の吸込開口３より吸込口８に吸い込む吸気流が発生し、レンジ２４から上昇した油煙は、この吸気流によりフード１内の油煙の吸込開口３より突出部６に形成された吸込口８に吸いこまれる。このとき、吸込口８に設けられたフィルター１０に油煙が付着され濾過された空気が突出部６内よりファンボックス１８内の上流側空気流路１９を経て排気用ファンモータ１７の風力により開放したシャッター２０を介し、下流側空気流路２１を経て屋外２２に排出される。
【００３４】
また、突出部６の側壁４を下方に向かうに従がい中央寄りとなる傾斜面５で形成し、吸込口８を斜め下方に向け開口していることにより、吸い込み気流は指向性を受けて吸引力が向上するとともに、吸い込み風速が向上して油煙の捕集性が高められる。
【００３５】
また、壁面２６側に流れるようとする一部の油煙があっても、本体７の下面の奥部側に設けた副吸込口２３により吸い込まれて壁面２６側に流れようとする油煙は、壁面２６に沿い流れることなく屋外２２に排出される。
【００３６】
また、油煙が吸込口８に設けたフィルター１０に付着し、目詰まりが生じるようになったときには、フィルター１０を吸込口８より取り外して掃除を行うことができるとともに、突出部６の内面等に付着した油滴が油滴排出口１２より油受け１３に排出され、油滴が油受け１３に溜まったときには、油受け１３を取り外して油滴を取り除くことができ、また、フード１の内面および突出部６の表面に付着した油煙を拭きとるときには、フード１と突出部６が一体的に形成され継目等が無いことにより、容易に油煙を拭き取ることができる。
【００３７】
また、レンジ２４を照らす照明部２５が突出部６より外側位置となる本体７の下面に設けられていることにより、照明部２２が油煙の気流経路からは離れることとなり、照明部２５の汚染が緩和されることとなる。
【００３８】
なお、実施の形態１では、突出部６の下面の形状について具体的に説明はしていないが、下面の形状は、平担面でも、各吸込口８に向かう傾斜面で形成しても良いもので特に限定されるものではない。
【産業上の利用可能性】
【００３９】
以上のように、壁面側に片寄せて取り付けるキッチンに対応するレンジフードを、突出部に設けられる吸込口の配置により壁面より遠ざかった位置に設けられるアイランドキッチンにも適用することができる。
【図面の簡単な説明】
【００４０】
【図１】本発明の実施の形態１のレンジフードの設置状態の断面図
【図２】同レンジフードの斜視図
【図３】同レンジフードの分解斜視図
【図４】同レンジフードのフィルター取付状態を示す斜視図
【図５】同レンジフードの設置状態を示す斜視図
【図６】従来のレンジフードの断面図
【図７】同レンジフードの正面図
【符号の説明】
【００４１】
１    フード
２    周辺部
３    吸込開口
４    側壁
５    傾斜面
６    突出部
７    本体
８    吸込口
１０  フィルター
１７  排気用ファンモータ
２２  屋外
２３  副吸込口
２５  照明部
【図１】
2005106426.tif 000003
【図２】
2005106426.tif 000004
【図３】
2005106426.tif 000005
【図４】
2005106426.tif 000006
【図５】
2005106426.tif 000007
【図６】
2005106426.tif 000008
【図７】
2005106426.tif 000009